(57)【特許請求の範囲】
【請求項１】
吐出口を有する吐出ノズルと、該吐出ノズルに洗浄液を供給する洗浄液供給手段と、吐出ノズルの吐出口に供給される洗浄液に気泡を混入する気泡混入手段を備え、前記洗浄液供給手段を槽部及び水栓を有する流し台に設け、吐出ノズルに把持部を設け、該吐出ノズルを流し台の槽部の開口縁部に分離可能に設けたキッチン用泡洗浄液吐出装置であって、前記吐出ノズルを流し台の槽部の開口縁部に設けたノズル保持部で取り外し可能に保持することで分離可能とし、該吐出ノズルは、洗浄液貯留部と、気泡混入手段として吐出口に連通接続した圧縮気体封入部を備え、圧縮気体封入部から圧縮気体が吐出口側に流れることにより発生する負圧により洗浄液貯留部の洗浄液を圧縮気体が流れる流路に供給して泡洗浄液とすると共に該泡洗浄液を吐出ノズルの吐出口から吐出するものとしたことを特徴とするキッチン用泡洗浄液吐出装置。
【請求項２】
前記ノズル保持部は吐出ノズルを保持した取り付け状態において洗浄液を吐出ノズルの洗浄液貯留部に供給する洗浄液補給部を備えると共に、前記吐出ノズルの取り付け状態において圧縮気体封入部に圧縮気体を供給する圧縮気体供給部を備えて成ることを特徴とする請求項１に記載のキッチン用泡洗浄液吐出装置。
【発明の詳細な説明】
【技術分野】
【０００１】
本発明はキッチン用泡洗浄液吐出装置に関する。
【背景技術】
【０００２】
従来、食器や流し台の槽部を洗浄する際には市販の洗剤が利用されているが、この洗剤は洗浄効果が低いという問題がある。
【０００３】
また、特許文献１には、台所に設置される流し台に設けたものではないが、洗浄ボウルの水栓に石鹸水に気泡を混入してムース状としたものを放水する放水口を形成したものがあり、このものは放水口から洗浄ボウルの内面全体に流れるよう気泡入り石鹸水を洗浄ボウルの内面に沿って放水している。しかし、この放水口は水栓に形成したものであるので、放水口から離れた所望の部位に気泡入り石鹸水を局所的に吐出することができず、気泡入り石鹸水による洗浄効果が低く、また洗浄ボウルの内面全体に気泡入り石鹸水が流れるため気泡入り石鹸水が無駄に消費される。また、仮に特許文献１の放水口を流し台の槽部に設けたとしても、この放水口は洗浄ボウルの内面に沿って気泡入り石鹸水を放水するものであるので、放水口から放出される気泡入り石鹸水に食器を当てるには食器を放水口に対向する近い位置に位置させる必要があり、この場合、洗浄ボウルが邪魔になり食器が当たる等し、洗浄作業が難しい。
【特許文献１】特開２００３−４７５６５号公報
【発明の開示】
【発明が解決しようとする課題】
【０００４】
本発明は上記従来の問題点に鑑みて発明したものであって、食器や流し台の槽部の所望の部位に洗浄効果の高い洗浄液で簡単且つ確実に吐出でき、効率良く槽部や食器を洗浄できるキッチン用泡洗浄液吐出装置を提供することを課題とする。
【課題を解決するための手段】
【０００５】
上記課題を解決するために本発明に係るキッチン用泡洗浄液吐出装置は、吐出口１０を有する吐出ノズル９と、該吐出ノズル９に洗浄液を供給する洗浄液供給手段１１と、吐出ノズル９の吐出口１０に供給される洗浄液に気泡を混入する気泡混入手段１２を備え、前記洗浄液供給手段１１を槽部３及び水栓７を有する流し台２に設け、吐出ノズル９に把持部１４を設け、該吐出ノズル９を流し台２の槽部３の開口縁部に分離可能に設けたキッチン用泡洗浄液吐出装置であって、前記吐出ノズル９を流し台２の槽部３の開口縁部に設けたノズル保持部１５で取り外し可能に保持することで分離可能とし、該吐出ノズル９は、洗浄液貯留部１６と、気泡混入手段１２として吐出口１０に連通接続した圧縮気体封入部２１を備え、圧縮気体封入部２１から圧縮気体が吐出口１０側に流れることにより発生する負圧により洗浄液貯留部１６の洗浄液を圧縮気体が流れる流路に供給して泡洗浄液とすると共に該泡洗浄液を吐出ノズル９の吐出口１０から吐出するものとしたことを特徴とする。この構成により、吐出ノズル９の吐出口１０から洗浄液に気泡を混入してなる洗浄効果の高い泡洗浄液を吐出でき、食器や槽部３等を綺麗に洗浄できる。また、この吐出ノズル９を槽部３の開口縁部に分離可能に設けることで、吐出ノズル９を流し台２から取り外し、吐出ノズル９の把持部１４を把持して吐出ノズル９を流し台２から離れた所望の位置に移動できる。また、洗浄液及び圧縮空気を補給した吐出ノズル９をノズル保持部１５から取り外し、圧縮気体封入部２１の圧縮気体を利用して吐出ノズル９の吐出口１０から泡洗浄液を吐出できる。
【０００６】
また、請求項２は請求項１において、前記ノズル保持部１５は吐出ノズル９を保持した取り付け状態において洗浄液を吐出ノズル９の洗浄液貯留部１６に供給する洗浄液補給部１１ｂを備えると共に、前記吐出ノズル９の取り付け状態において圧縮気体封入部２１に圧縮気体を供給する圧縮気体供給部を備えて成ることを特徴とする。これにより、吐出ノズル９の取り付け状態においては、洗浄液補給部１１ｂにより洗浄液を吐出ノズル９の洗浄液貯留部１６に供給でき、また、圧縮気体供給部により圧縮気体封入部２１に泡洗浄液の吐出エネルギーの源となる圧縮気体を供給できる。
【発明の効果】
【００１０】
請求項１に係る発明では、吐出ノズルの吐出口から洗浄液に気泡を混入してなる洗浄効果の高い泡洗浄液を吐出でき、食器や槽部を綺麗に洗浄できる。また、吐出ノズルを槽部の開口縁部から取り外し、該吐出ノズルの把持部を把持して吐出ノズルを流し台から離れた所望の位置に移動でき、吐出ノズルから吐出される泡洗浄液を対象となる食器や槽部に簡単且つ確実に当てることができ、また効率良く泡洗浄液を食器や槽部に当てることができて洗浄液の消費量を抑えることができる。また、吐出ノズルをノズル保持部から取り外し、圧縮気体封入部の圧縮気体を利用して吐出ノズルの吐出口から泡洗浄液を吐出できる。従って、吐出ノズルだけを流し台から取り外して使用でき、この場合、吐出ノズルをホース等で流し台側に接続する必要がないので吐出ノズルの使い勝手が良くなる。
【００１１】
また請求項２に係る発明では、請求項１に係る発明の効果に加えて、吐出ノズルの取り付け状態においては、洗浄液補給部により洗浄液を吐出ノズルの洗浄液貯留部に供給でき、また圧縮気体供給部により圧縮気体封入部に圧縮気体を供給できる。
【発明を実施するための最良の形態】
【００１５】
本実施形態の一例のキッチン用泡洗浄液吐出装置１はキッチンユニットとして台所に設置される流し台２に設けられる。図２に示すように流し台２の槽部３は流し台２の天面を構成する板状のカウンタ４に形成した開口部５と該開口部５の下方に設けたシンク６で構成されている。カウンタ４において槽部３の開口後縁部となる部分には槽部３に水を供給する水栓７を設けている。
【００１６】
図１に示すようにキッチン用泡洗浄液吐出装置１は、液体洗剤を水で希釈してなる食器又は槽部３を洗浄するための洗浄液を貯留する洗浄液タンク８と、水栓７とは別に設けた吐出ノズル９と、洗浄液タンク８に貯留した洗浄液を吐出ノズル９に供給する洗浄液供給手段１１と、吐出ノズル９の吐出口に供給される洗浄液に気泡を混入する気泡混入手段１２を備えている。
【００１７】
吐出ノズル９の基部１３は使用者が吐出ノズル９を把持する把持部１４としてあり、該吐出ノズル９は流し台２の槽部３の開口縁部に設けたノズル保持部１５で取り外し可能に保持することで分離可能となっている。ノズル保持部１５はカウンタ４の上面において槽部３の開口後縁部を構成する部分に設けた凹部１５ａからなり、吐出ノズル９は基部１３を凹部１５ａに嵌め込むことで流し台２のカウンタ４に対して取り外し可能に保持される。
【００１８】
吐出ノズル９はノズル保持部１５から取り外した場合に洗浄液タンク８と非連通状態で泡洗浄液を吐出可能なホースレスノズルであって、洗浄液貯留部１６と、気泡混入手段１２として吐出口１０に連通接続した圧縮気体封入部２１を備え、圧縮気体封入部２１から圧縮気体が吐出口１０側に流れることにより発生する負圧により洗浄液貯留部１６の洗浄液を圧縮気体が流れる流路に供給して泡洗浄液とすると共に該泡洗浄液を吐出ノズル９の吐出口１０から吐出するものとしてある。また、流し台２のノズル保持部１５は、吐出ノズル９を保持した取り付け状態において洗浄液タンク８内の洗浄液を吐出ノズル９の洗浄液貯留部１６に供給する洗浄液補給部１１ｂと、前記吐出ノズル９の取り付け状態において圧縮気体封入部２１に圧縮気体を供給する圧縮気体供給部を備えている。
【００１９】
吐出ノズル９の吐出口１０は泡洗浄液をシャワー状に吐出できるよう吐出ノズル９の先端に設けた複数の孔１０ａで構成してある。この複数の孔１０ａからなる吐出口１０は吐出流路１９を介して洗浄液貯留部１６に連通接続してあり、該吐出流路１９の途中には気体流路２０を介して圧縮気体封入部２１を連通接続している。
【００２０】
吐出ノズル９の基部１３には洗浄液貯留部１６に連通する洗浄液供給口２２と圧縮気体封入部２１に連通する圧縮気体供給口２３を設けてあり、洗浄液貯留部１６には洗浄液供給口２２より供給した洗浄液を貯留でき、また圧縮気体封入部２１には圧縮気体供給口２３より供給した圧縮気体（圧縮空気）を封入できるようになっている。つまり洗浄液供給口２２で洗浄液補給部１１ｂを構成し、圧縮気体供給口２３で圧縮気体供給部を構成している。なお、洗浄液供給口２２及び圧縮気体供給口２３の夫々には洗浄液貯留部１６内又は圧縮気体封入部２１内の洗浄液又は圧縮気体が外部に漏れ出ないよう逆止弁等を設けている。
【００２１】
吐出流路１９の気体流路２０との合流部２４よりも上流側部分及び気体流路２０には開閉弁２５、２６を夫々設けている。両開閉弁２５、２６は例えば電磁弁からなり、吐出ノズル９に設けたノズル側操作部２７を操作することで開く。両開閉弁２５、２６が開くと、圧縮気体封入部２１に圧縮状態で封入した圧縮気体は気体流路２０を介して吐出口１０側に送られる。これにより吐出流路１９と気体流路２０の合流部２４では圧縮気体封入部２１からの気体が吐出口１０側に流れることにより発生する負圧により洗浄液貯留部１６の洗浄液が合流部２４へと供給され、ここで圧縮気体封入部２１から送られた気体と混合されて泡洗浄液となる。そして、この泡洗浄液は圧縮気体封入部２１内の圧縮気体の圧力によりさらに吐出口１０側へと送られ、複数の孔１０ａからなる吐出口１０よりシャワー状の泡洗浄液となって吐出される。即ち、本例の吐出ノズル９は、圧縮気体封入部２１に封入した圧縮気体の圧力を利用して、洗浄液貯留部１６に貯留した洗浄液を吐出口１０へと供給すると共に該洗浄液に気泡を混入して泡洗浄液を生成するものであり、吐出流路１９に気体流路２０を介して接続した圧縮気体封入部２１により気泡混入手段１２を構成している。なお、上記泡洗浄液の吐出を停止するにはノズル側操作部２７を操作して両開閉弁２５、２６を閉じれば良い。
【００２２】
一方、流し台２の前記ノズル保持部１５を構成する凹部１５ａの底面には、吐出ノズル９の洗浄液用接続口２８及び圧縮気体供給口２３の夫々に着脱自在に接続可能な洗浄液用接続口２８と気体用接続口２９を設けてあり、洗浄液用接続口２８及び気体用接続口２９は前記取り付け状態とした吐出ノズル９の洗浄液用接続口２８及び圧縮気体供給口２３の夫々に接続される位置に設けてある。
【００２３】
洗浄液用接続口２８は流し台２に設けた洗浄液タンク８に洗浄液流路３０を介して連通接続してあり、該洗浄液流路３０の途中には洗浄液タンク８内の洗浄液を洗浄液用接続口２８に供給するポンプ３１を設けている。即ち本例では洗浄液流路３０とポンプ３１で洗浄液供給手段１１を構成している。圧縮気体供給口２３には流し台２に設けたコンプレッサー３２を空気流路３５を介して連通接続している。コンプレッサー３２は空気流路３５を介して気体用接続口２９に圧縮気体（圧縮空気）を供給するものであって、該コンプレッサー３２及び空気流路３５に圧縮気体を供給する手段を構成している。コンプレッサー３２及びポンプ３１は流し台２に設けた流し台側操作部３３を操作することで運転される。なお、洗浄液タンク８及びコンプレッサー３２は流し台２に内装されるものである。また、図示は省略するが洗浄液タンク８には補給口が設けられる。
【００２４】
上記吐出ノズル９は未使用時にはノズル保持部１５で保持されて取り付け状態とされる。また、この時、吐出ノズル９の洗浄液供給口２２及び圧縮気体供給口２３の夫々が洗浄液用接続口２８及び気体用接続口２９に接続されるが、この取り付け状態において流し台側操作部３３を操作してポンプ３１及びコンプレッサー３２を駆動することで、洗浄液貯留部１６には洗浄液タンク８の洗浄液が補給され、また圧縮気体封入部２１には圧縮気体が封入される。即ち、吐出ノズル９の取り付け状態において、吐出ノズル９の両開閉弁２５、２６を閉じると共にポンプ３１及びコンプレッサー３２を駆動することで、洗浄液タンク８内の洗浄液はポンプ３１により洗浄液流路３０、洗浄液用接続口２８、洗浄液供給口２２を介して洗浄液貯留部１６に供給され、また、コンプレッサー３２により圧縮気体が空気流路３５、気体用接続口２９、圧縮気体供給口２３を介して圧縮気体封入部２１に供給される。つまり、本例のキッチン用泡洗浄液吐出装置１は、吐出ノズル９の取り付け状態において洗浄液貯留部１６に接続される洗浄液流路３０に設けたポンプ３１により洗浄液を供給し、また、圧縮気体封入部２１に空気流路３５を介して接続したコンプレッサー３２により圧縮気体を供給する。なお、前記ポンプ３１及びコンプレッサー３２の運転は流し台側操作部３３を操作することで停止される。また、洗浄液貯留部１６及び洗浄液タンク８には前記洗浄液補給時における洗浄液の流れをスムーズにするために空気抜き孔等を設けている。
【００２５】
上記キッチン用泡洗浄液吐出装置１を利用して食器や流し台２の槽部３を洗浄するには、前述したように洗浄液貯留部１６に洗浄液タンク８の洗浄液を補給し且つ圧縮気体封入部２１に圧縮気体を封入した状態にある吐出ノズル９をノズル保持部１５から取り外して流し台２に対して分離し、この吐出ノズル９の把持部１４を把持して吐出口１０を食器や槽部３の所望の部位に向け、この状態でノズル側操作部２７を操作して両開閉弁２５、２６を開くことで吐出口１０から泡洗浄液を吐出する。
【００２６】
以上説明したキッチン用泡洗浄液吐出装置１にあっては、吐出ノズル９の吐出口１０から洗浄液に気泡を混入してなる洗浄効果の高い泡洗浄液を吐出できるので、食器や槽部３等を綺麗に洗浄できる。また、この吐出ノズル９を槽部３の開口縁部に分離可能に設けてあるので、吐出ノズル９の把持部１４を把持して吐出ノズル９を流し台２から離れた所望の位置に移動でき、吐出ノズル９から吐出される泡洗浄液を対象となる食器や槽部３に簡単且つ確実に当てることができる。
【００２７】
また、本例のキッチン用泡洗浄液吐出装置１は、吐出ノズル９が、洗浄液貯留部１６と、気泡混入手段１２として吐出口１０に連通接続した圧縮気体封入部２１を備え、圧縮気体封入部２１から圧縮気体が吐出口１０側に流れることにより発生する負圧により洗浄液貯留部１６の洗浄液を圧縮気体が流れる流路に供給して泡洗浄液とすると共に該泡洗浄液を吐出ノズル９の吐出口１０から吐出するものとしてあり、また、前記ノズル保持部１５は吐出ノズル９を保持した取り付け状態において洗浄液を吐出ノズル９の洗浄液貯留部１６に供給する洗浄液補給部１１ｂを備えると共に、前記吐出ノズル９の取り付け状態において圧縮気体封入部２１に圧縮気体を供給する圧縮気体供給部を備えているので、吐出ノズル９の取り付け状態においては、洗浄液補給部１１ｂにより洗浄液を吐出ノズル９の洗浄液貯留部１６に供給でき、また、圧縮気体供給部により圧縮気体封入部２１に泡洗浄液の吐出エネルギーの源となる圧縮気体を供給できる。また、このように洗浄液及び圧縮空気を補給した吐出ノズル９をノズル保持部１５から取り外し、圧縮気体封入部２１の圧縮気体を利用して吐出ノズル９の吐出口から泡洗浄液を吐出でき、吐出ノズル９をノズル保持部１５から取り外した状態では吐出ノズル９をホース等で洗浄液タンク８に接続する必要がなく、吐出ノズル９の移動範囲が制限されない、ホース等が邪魔にならない等、使い勝手が良い。
【００２８】
次に他例のキッチン用泡洗浄液吐出装置１について説明する。なお、以下の説明では上記一例のキッチン用泡洗浄液吐出装置１と同一の構成については同一の番号を付与し、重複する説明は省略する。
【００２９】
図３に示す本例のキッチン用泡洗浄液吐出装置１は、吐出ノズル９を屈曲自在のホース３６の一端に設け、ノズル保持部１５から取り外した場合に、洗浄液供給手段１１によりホース３６を介して洗浄液を吐出ノズル９に供給するものである。
【００３０】
ノズル保持部１５はカウンタ４において槽部３の開口後縁部を構成する部分に設けた引き出し孔４２で構成してあり、吐出ノズル９はその基部１３を上方から引き出し孔４２に嵌め込むことで流し台２のカウンタ４に対して取り外し可能に保持される。また、引き出し孔４２の周縁部上にはリング状パッキンからなるシール材３７を設けてあり、該シール材３７により引き出し孔４２の周縁部と引き出し孔４２で保持した取り付け状態にある吐出ノズル９との間を水密的に封止し、吐出ノズル９の取り付け状態において引き出し孔４２から水が流し台２内部に浸入することを防止している。
【００３１】
上記一端を吐出ノズル９の基部１３に接続したホース３６は他端が上水が供給される上水流路３８に接続される。ここで、ホース３６は伸縮自在又は充分な長さを有するものとしてあり、これによりホース３６は引き出し孔４２を介して流し台２から引き出したり、流し台２内部に収納したりできるようになっている。
【００３２】
水流路３８には開閉弁４８を設けてあり、開閉弁４８は流し台２に設けた操作部４０を操作することにより開閉される。開閉弁４８を開くことで上水の水圧を利用して水流路３８に水が供給され、この水が吐出ノズル９側に供給される。水流路３８には液流路４７を介して洗浄液タンク８を接続してあり、洗浄液タンク８に貯留された液体洗剤は、水流路３８の水の流れによって生じる負圧により液流路４７を介して水流路３８に供給され、水と混合して水によって希釈された洗浄液となる。即ち本例では上水に通じる水流路３８、ホース３６、開閉弁４８、洗浄液タンク８、により洗浄液供給手段１１を構成している。また、上水流路３８の開閉弁４８よりも下流側には気体導入部４１と微細気泡発生部４６を設けてあり、気体導入部４１は液流路４７との合流部よりも上流側に、微細気泡発生部４６は液流路４７との合流部よりも下流側に設けてある。気体導入部４１は開閉弁４８が開いている時に上水流路３８の水の流れによって生じるエジェクタ効果により上水流路３８に気体（空気）を混入するものであり、即ち本例では気体導入部４１により気泡混入手段１２を構成している。また、微細気泡発生部４６はベンチュリ管からなり、洗浄液に含まれる気泡を圧縮混合して微細気泡を生成する。
【００３３】
本例のキッチン用泡洗浄液吐出装置１を利用して食器や流し台２の槽部３を洗浄するには、吐出ノズル９を引き出し孔４２から取り外して流し台２から分離し、この吐出ノズル９の把持部１４を把持して吐出口１０を食器や槽部３の所望の部位に向け、この状態で操作部４０を操作して開閉弁４８を開く。
【００３４】
これにより水流路３８に流入した水には気体導入部４１で気泡が混入され、この後、液流路４７との合流部で気泡を混入した水に洗剤が供給され、次いで、微細気泡発生部４６で前記混入した気泡が微細気泡とされて、この後、ホース３６を介して吐出ノズル９に至り、複数の孔１０ａからなる吐出口１０より微細気泡を有する泡洗液がシャワー状に吐出される。
【００３５】
本例のキッチン用泡洗浄液吐出装置１は、吐出ノズル９を屈曲自在なホース３６の一端に設け、洗浄液供給手段１１により前記ホース３６を介して洗浄液を吐出ノズル９に供給するものであるので、泡洗浄液を吐出する手段や気泡混入手段１２を吐出ノズル９側に設けずに流し台２側に設けることが可能となり、吐出ノズル９を簡単な構造とできる。この結果、吐出ノズル９の小型化及び軽量化を実現できる。また、吐出ノズル９を槽部３の開口縁部に設けた引き出し孔４２で取り外し可能に保持することで分離可能とし、ホース３６を引き出し孔４２から引き出し自在とすることで、吐出ノズル９を引き出し孔４２から取り外す使用時にはホース３６を引出し、また吐出ノズル９を引き出し孔４２で保持する未使用時には図３に示すように流し台２の内部にホース３６を収納できる。
【００３６】
次に更に他例のキッチン用泡洗浄液吐出装置１について説明する。なお、以下の説明では上記他例のキッチン用泡洗浄液吐出装置１と同一の構成については同一の番号を付与し、重複する説明は省略する。
【００３７】
本例では図４に示すようにカウンタ４の槽部３の周縁部を構成する部分に上方に突出する筒部４３を設け、該筒部４３でノズル保持部１５を構成している。一方、吐出ノズル９の基部１３には筒部４３を着脱自在に嵌め込み可能な凹所４４を形成してあり、ホース３６の一端は凹所４４の上底面に接続してある。また、筒部４３の内側に形成したカウンタ４の上下に貫通する孔で引き出し孔４２を構成している。従って、筒部４３によりカウンタ４上を流れる水が引き出し孔４２から流し台２内部に侵入することを防止できる。また、本例では筒部４３の上端面及び筒部４３の周囲のカウンタ４の上面の夫々にリング状パッキンからなるシール材３７を設け、各シール材３７により引き出し孔４２の周縁部と引き出し孔４２で保持した取り付け状態にある吐出ノズル９との間を水密的に封止している。これにより引き出し孔４２に水が浸入することを二重に防止できる。
【００３８】
なお、以上説明した各例のキッチン用泡洗浄液吐出装置１は、吐出ノズル９を流し台２のカウンタ４に設けた例を示したが、槽部３の開口縁部となる部分であればシンク６に設けてあっても良い。
【図面の簡単な説明】
【００３９】
【図１】本発明の実施の形態の一例を概略的に示す説明図である。
【図２】同上のキッチン用泡洗浄液吐出装置を設けた流し台の平面図である。
【図３】他例のキッチン用泡洗浄液吐出装置を概略的に示す説明図である。
【図４】更に他例のキッチン用泡洗浄液吐出装置を概略的に示す説明図である。
【符号の説明】
【００４０】
１  キッチン用泡洗浄液吐出装置
２  流し台
３  槽部
７  水栓
８  洗浄液タンク
９  吐出ノズル
１０  吐出口
１１  洗浄液供給手段
１１ｂ  洗浄液補給部
１２  気泡混入手段
１４  把持部
１５  ノズル保持部
１６  洗浄液貯留部
【図１】
0005032908.tif 000002
【図２】
0005032908.tif 000003
【図３】
0005032908.tif 000004
【図４】
0005032908.tif 000005